(57)【要約】      （修正有）【課題】前側から後側への風の通過を制限可能な構成を簡単にできる制限壁を提供する。【解決手段】制限壁１０では、複数の制限板１６がそれぞれ前側から後側への風及び砂の通過を制限する。ここで、設置枠１４の上板１４Ｃと下板１４Ｄとの間における内側に複数の制限板１６が上下方向及び左右方向に並べられている。このため、構成を簡単にできる。【選択図】図１
2019024427.tif 000002
【特許請求の範囲】
【請求項１】
前後方向に垂直な方向に並べられ、それぞれ前側から後側への風の通過を制限可能にされる複数の制限板を備える制限壁。
【請求項２】
前記制限板が弾性を有する請求項１記載の制限壁。
【請求項３】
前後方向に垂直な一方向において隣設される前記制限板が連結されると共に、前後方向に垂直な他方向において隣設される前記制限板が連結されない請求項１又は請求項２記載の制限壁。
【請求項４】
前記制限板の連結部分の移動が規制される請求項１〜請求項３の何れか１項記載の制限壁。
【請求項５】
連結される前記制限板の一方が前側に凸状に湾曲されると共に、当該連結される前記制限板の他方が後側に凸状に湾曲される請求項１〜請求項４の何れか１項記載の制限壁。
【請求項６】
前記制限板が廃棄タイヤによって構成される請求項１〜請求項５の何れか１項記載の制限壁。
【発明の詳細な説明】
【技術分野】
【０００１】
本発明は、前側から後側への風の通過を制限可能にされる制限壁に関する。
【背景技術】
【０００２】
下記特許文献１では、砂嚢が防風壁としての役割を有しており、砂嚢には砂が充填されている。
【０００３】
ここで、防風壁では、構成を簡単にできるのが好ましい。
【先行技術文献】
【特許文献】
【０００４】
【特許文献１】特開２０１０−２２７０９３号公報
【発明の概要】
【発明が解決しようとする課題】
【０００５】
本発明は、上記事実を考慮し、構成を簡単にできる制限壁を得ることが目的である。
【課題を解決するための手段】
【０００６】
請求項１に記載の制限壁は、前後方向に垂直な方向に並べられ、それぞれ前側から後側への風の通過を制限可能にされる複数の制限板を備える。
【０００７】
請求項２に記載の制限壁は、請求項１に記載の制限壁において、前記制限板が弾性を有する。
【０００８】
請求項３に記載の制限壁は、請求項１又は請求項２に記載の制限壁において、前後方向に垂直な一方向において隣設される前記制限板が連結されると共に、前後方向に垂直な他方向において隣設される前記制限板が連結されない。
【０００９】
請求項４に記載の制限壁は、請求項１〜請求項３の何れか１項に記載の制限壁において、前記制限板の連結部分の移動が規制される。
【００１０】
請求項５に記載の制限壁は、請求項１〜請求項４の何れか１項に記載の制限壁において、連結される前記制限板の一方が前側に凸状に湾曲されると共に、当該連結される前記制限板の他方が後側に凸状に湾曲される。
【００１１】
請求項６に記載の制限壁は、請求項１〜請求項５の何れか１項に記載の制限壁において、前記制限板が廃棄タイヤによって構成される。
【発明の効果】
【００１２】
請求項１に記載の制限壁では、複数の制限板が前後方向に垂直な方向に並べられており、複数の制限板がそれぞれ前側から後側への風の通過を制限可能にされる。このため、構成を簡単にできる。
【００１３】
請求項２に記載の制限壁では、制限板が弾性を有する。このため、制限板同士の衝突音の発生を抑制できる。
【００１４】
請求項３に記載の制限壁では、前後方向に垂直な一方向において隣設される制限板が連結される。
【００１５】
ここで、前後方向に垂直な他方向において隣設される制限板が連結されない。このため、例えば前側から強風が到来した場合には、他方向において隣設される制限板間から風を後側に効果的に逃がすことができる。
【００１６】
請求項４に記載の制限壁では、制限板の連結部分の移動が規制される。風による制限板の揺動を抑制できる。
【００１７】
請求項５に記載の制限壁では、連結される制限板の一方が前側に凸状に湾曲されると共に、当該連結される制限板の他方が後側に凸状に湾曲される。このため、連結される制限板の両方が前側又は後側に凸状に湾曲される場合とは異なり、連結される制限板の連結部分が前側又は後側に大きく突出されることを抑制でき、前後方向寸法を小さくできる。
【００１８】
請求項６に記載の制限壁では、制限板が廃棄タイヤによって構成される。このため、コストを低減できる。
【図面の簡単な説明】
【００１９】
【図１】本発明の実施形態に係る制限壁を示す前方から見た正面図である。
【図２】本発明の実施形態に係る制限壁を示す左斜め前方から見た斜視図である。
【図３】本発明の実施形態に係る制限壁の主要部を示す左斜め前方から見た分解斜視図である。
【図４】本発明の実施形態に係る制限壁を示す左方から見た断面図である。
【発明を実施するための形態】
【００２０】
図１には、本発明の実施形態に係る制限壁１０が前方から見た正面図にて示されており、図２には、制限壁１０が左斜め前方から見た斜視図にて示されている。さらに、図４には、制限壁１０が左方から見た断面図にて示されている。なお、図面では、制限壁１０の前側を矢印ＦＲで示し、制限壁１０の右側を矢印ＲＨで示し、制限壁１０の上側を矢印ＵＰで示している。
【００２１】
図１、図２及び図４に示す如く、本実施形態に係る制限壁１０は、砂地１２（例えば砂丘）に設置されており、制限壁１０の後側では、例えば植物が栽培される。
【００２２】
制限壁１０には、設置体としての設置枠１４が設けられている。設置枠１４の左端及び右端には、それぞれ断面Ｌ字形長尺板状の左板１４Ａ及び右板１４Ｂが設けられており、左板１４Ａ及び右板１４Ｂは、上下方向に延伸されている。設置枠１４の上端及び上下方向中間部には、それぞれ断面Ｌ字形長尺板状の上板１４Ｃ及び下板１４Ｄが設けられており、上板１４Ｃ及び下板１４Ｄは、左右方向に延伸されて、左右方向両端部が左板１４Ａ及び右板１４Ｂにそれぞれ連結されている。上板１４Ｃは、内部が後側に開放される向きに配置されており、上板１４Ｃの下側部は、上方へ向かうに従い前方へ向かう方向に傾斜されている。下板１４Ｄは、内部が下側に開放される向きに配置されており、下板１４Ｄの後側部は、下方へ向かうに従い後方へ向かう方向に傾斜されている。
【００２３】
左板１４Ａ及び右板１４Ｂは、下板１４Ｄより下側の部分において、下端側から砂地１２に上下方向に平行に挿入されており、これにより、設置枠１４が下板１４Ｄより上側を砂地１２上に起立された状態で砂地１２に設置されて、制限壁１０が砂地１２に設置されている。
【００２４】
設置枠１４には、上板１４Ｃと下板１４Ｄとの間の上下方向中央位置において、規制部としての略長尺平板状の上規制板１４Ｅが設けられており、上規制板１４Ｅは、左右方向に延伸されて、左右方向両端部が左板１４Ａ及び右板１４Ｂにそれぞれ連結されると共に、上方へ向かうに従い前方へ向かう方向に傾斜されている。設置枠１４には、上規制板１４Ｅと下板１４Ｄとの間の上下方向中央位置において、規制部としての略長尺平板状の下規制板１４Ｆが設けられており、下規制板１４Ｆは、左右方向に延伸されて、左右方向両端部が左板１４Ａ及び右板１４Ｂにそれぞれ連結されると共に、下方へ向かうに従い後方へ向かう方向に傾斜されている。
【００２５】
設置枠１４の内側には、上板１４Ｃと下板１４Ｄとの間において、制限板１６が複数設置されている。制限板１６は、廃棄タイヤの外周部が長尺矩形状に切断されて形成されており、制限板１６の長手方向は、廃棄タイヤの周方向にされている。このため、制限板１６は、ゴム製にされて弾性を有すると共に、長手方向及び幅方向において湾曲されている。
【００２６】
制限板１６は、上下方向及び左右方向において、それぞれ複数（本実施形態ではそれぞれ１６個及び４個）並べられており、制限板１６の長手方向は、上下方向に向けられると共に、制限板１６の幅方向は、左右方向に向けられている。これにより、設置枠１４の上板１４Ｃと下板１４Ｄとの間における内側が複数の制限板１６によって略隙間なく閉鎖されている。
【００２７】
最上の制限板１６及び上から３番目の制限板１６は、上下方向及び左右方向において、後側に凸状に湾曲されており、上から２番目の制限板１６及び最下（上から４番目）の制限板１６は、上下方向及び左右方向において、前側に凸状に湾曲されている。
【００２８】
最上の制限板１６の上端部は、設置枠１４の上板１４Ｃの下側部にボルト及びナットによって締結（結合）されており（図３参照）、最下の制限板１６の下端部は、設置枠１４の下板１４Ｄの後側部にボルト及びナットによって締結されている。最上及び最下以外の制限板１６の上端部は、上側の制限板１６の下端部にボルト及びナットによって締結されると共に、最上及び最下以外の制限板１６の下端部は、下側の制限板１６の上端部にボルト及びナットによって締結されており（図３参照）、上下方向において並べられた複数の制限板１６は、連結されている。
【００２９】
上から２番目の制限板１６の下端部と上から３番目の制限板１６の上端部との間には、設置枠１４の上規制板１４Ｅが配置されており、上から２番目の制限板１６の下端部と上から３番目の制限板１６の上端部とは、上規制板１４Ｅを挟んだ状態で締結されている。上から３番目の制限板１６の下端部と最下の制限板１６の上端部との間には、設置枠１４の下規制板１４Ｆが配置されており、上から３番目の制限板１６の下端部と最下の制限板１６の上端部とは、下規制板１４Ｆを挟んだ状態で締結されている。
【００３０】
次に、本実施形態の作用を説明する。
【００３１】
以上の構成の制限壁１０では、設置枠１４が下板１４Ｄより上側を砂地１２上に起立されており、設置枠１４の上板１４Ｃと下板１４Ｄとの間における内側に複数の制限板１６が上下方向及び左右方向に並べられている。このため、複数の制限板１６がそれぞれ前側から後側への風及び砂の通過を制限することで、例えば制限壁１０の後側で栽培される植物が保護される。
【００３２】
ここで、上述の如く、制限壁１０では、設置枠１４の上板１４Ｃと下板１４Ｄとの間における内側に複数の制限板１６が上下方向及び左右方向に並べられている。このため、制限壁１０の構成を簡単にできる。しかも、制限壁１０に代えて例えば生垣を使用する場合とは異なり、制限壁１０に対し手入れをする必要をなくすことができる。さらに、設置枠１４の大きさを変更して、制限板１６の数を変更することで、制限壁１０の大きさを容易に変更できる。
【００３３】
また、制限板１６が弾性を有している。このため、制限壁１０が風及び砂の通過を制限する際に、制限板１６同士の衝突音が発生することを抑制できる。
【００３４】
さらに、制限板１６が廃棄タイヤによって構成されている。このため、制限壁１０のコストを低減できる。
【００３５】
また、左右方向において隣設される制限板１６が連結されていない。このため、例えば制限壁１０に前側から強風が到来した場合には、左右方向において隣設される制限板１６間から風を後側に効果的に逃がすことができ、制限壁１０の損傷を抑制できる。
【００３６】
さらに、上から２番目の制限板１６の下端部と上から３番目の制限板１６の上端部と締結部分が設置枠１４の上規制板１４Ｅによって移動を規制されると共に、上から３番目の制限板１６の下端部と最下の制限板１６の上端部との締結部分が設置枠１４の下規制板１４Ｆによって移動を規制されている。このため、例えば制限壁１０に前側から強風が到来した場合に、上下方向において連結された複数の制限板１６が前後方向に大きく揺動されることを抑制でき、制限壁１０の損傷を抑制できる。
【００３７】
また、上側の制限板１６が前側及び後側の一方に凸状に湾曲されると共に、下側の制限板１６が前側及び後側の他方に凸状に湾曲されている。このため、上側の制限板１６と下側の制限板１６との両方が前側又は後側に凸状に湾曲される場合とは異なり、上側の制限板１６の下端部と下側の制限板１６の上端部との連結部分が前側又は後側に大きく突出されることを抑制でき、制限壁１０の前後方向寸法を小さくできる。
【００３８】
なお、本実施形態における制限壁１０を横方向（例えば左右方向）に複数連続して設置してもよい。
【符号の説明】
【００３９】
１０    制限壁
１６    制限板
【図１】
2019024427.tif 000003
【図２】
2019024427.tif 000004
【図３】
2019024427.tif 000005
【図４】
2019024427.tif 000006